(57)【要約】【課題】被写体を照射する光が強くても撮影装置のシャッタボタンを確実に操作することができるとともに、取扱いが容易で撮影作業を向上させることができる撮影補助装置及び接写装置を提供する。【解決手段】撮影補助装置２１は、撮影装置１によって被写体Ｆを撮影するときに、この撮影装置１のシャッタボタン１ｃを遠隔で操作して撮影を補助する。撮影補助装置２１は、照明装置２Ｒ，２Ｌからの光によってシャッタボタン１ｃの操作が支障を受けず、このシャッタボタン１ｃを確実に操作させる。操作力伝達部２２は、シャッタボタン１ｃを押圧する押圧部２４に撮影者Ｍが操作する操作部２３からの操作力を機械的に伝達する。操作力伝達部２２は、使用時には接写装置３の支柱部５から引き出され、非使用時にはこの接写装置３の支柱部５に引き込まれる。【選択図】図３
2011197368.tif 000002
【特許請求の範囲】
【請求項１】
撮影装置によって被写体を撮影するときに、この撮影装置のシャッタボタンを遠隔で操作して撮影を補助する撮影補助装置であって、
前記シャッタボタンを押圧する押圧部に、撮影者が操作する操作部からの操作力を機械的に伝達する操作力伝達部を備え、
前記操作力伝達部は、前記撮影装置によって前記被写体を近距離から撮影するときに使用する接写装置の支柱部に収納されること、
を特徴とする撮影補助装置。
【請求項２】
請求項１に記載の撮影補助装置において、
前記操作力伝達部は、使用時には前記接写装置の支柱部から引き出され、非使用時にはこの接写装置の支柱部に引き込まれること、
を特徴とする撮影補助装置。
【請求項３】
請求項１又は請求項２に記載の撮影補助装置において、
前記撮影装置に前記押圧部を着脱自在に装着する装着部を備えること、
を特徴とする撮影補助装置。
【請求項４】
請求項３に記載の撮影補助装置において、
前記装着部は、
前記シャッタボタンに前記押圧部を接触させた状態で前記撮影装置に巻き付けられるベルト部と、
前記ベルト部を着脱自在に締結する締結部とを備えること、
を特徴とする撮影補助装置。
【請求項５】
請求項１から請求項４までのいずれか１項に記載の撮影補助装置において、
前記操作力伝達部は、一方の端部が前記操作部に接続され、他方の端部が前記押圧部に接続されており、前記操作部に接続される側が前記接写装置の支柱部の一方の収容口に収容され、前記押圧部に接続される側が前記接写装置の支柱部の他方の収容口に収容されること、
を特徴とする撮影補助装置。
【請求項６】
撮影装置によって被写体を撮影するときに、この撮影装置のシャッタボタンを遠隔で操作して撮影を補助する撮影補助装置であって、
前記シャッタボタンを押圧する押圧部に、撮影者が操作する操作部からの操作力を機械的に伝達する操作力伝達部を備え、
前記押圧部は、前記被写体を近距離から撮影するときに使用する接写装置の支柱部に固定される前記撮影装置の支持装置に着脱自在に装着されること、
を特徴とする撮影補助装置。
【請求項７】
請求項６に記載の撮影補助装置において、
前記押圧部は、使用時には前記支持装置に装着され、非使用時にはこの支持装置から取り外されること、
を特徴とする撮影補助装置。
【請求項８】
請求項６又は請求項７に記載の撮影補助装置において、
前記支持装置に前記押圧部を着脱自在に装着する装着部を備えること、
を特徴とする撮影補助装置。
【請求項９】
請求項８に記載の撮影補助装置において、
前記支持装置は、一方の端部側が前記支柱部に固定される固定部に着脱自在に連結され、他方の端部が前記撮影装置に着脱自在に連結されるフレーム部を備え、
前記装着部は、前記フレーム部の端部に前記押圧部を着脱自在に装着すること、
を特徴とする撮影補助装置。
【請求項１０】
請求項６から請求項９までのいずれか１項に記載の撮影補助装置において、
前記操作力伝達部は、一方の端部が前記操作部に接続され、他方の端部が前記押圧部に接続されており、前記操作部からの操作力を流体圧として前記押圧部に作用させること、
を特徴とする撮影補助装置。
【請求項１１】
撮影装置によって被写体を近距離から撮影するための接写装置であって、
請求項１から請求項１０までのいずれか１項に記載の撮影補助装置を着脱自在に備えること、
を特徴とする接写装置。
【発明の詳細な説明】
【技術分野】
【０００１】
この発明は、撮影装置によって被写体を撮影するときに、この撮影装置のシャッタボタンを遠隔で操作して撮影を補助する撮影補助装置、及び撮影装置によって被写体を近距離から撮影するための接写装置に関する。
【背景技術】
【０００２】
鉄道車両に電力を供給する架線のトロリ線、このトロリ線と架線金具とを接続するイヤーなどの電車線設備を評価する場合には、これらの撤去品を室内で外観調査する必要がある。これらの撤去品の外観調査を記録するときには、カメラ又はビデオカメラなどの撮影装置を使用してこれらの撤去品を写真撮影し、データを編集して報告書を作成している。このような外観調査を記録するときには、撤去品を撮影台に載せ、この撮影台に固定された支柱に撮影装置を固定して、撮影台上の撤去品を撮影装置によって適当な撮影距離から撮影している。このような接写装置には、撮影装置を確実に固定可能であり、これらの撮影装置の着脱が用意であって、被写体が振動しないことなどが要求されている。
【０００３】
従来の接写装置は、被写体を載せる四角形状の搭載台と、この搭載台の一片側に着脱自在に装着された支柱と、搭載台上の被写体を撮影する撮影装置を下方に向けて支持する支持部材と、この支持部材の基部を支柱の長さ方向にスライド自在に取り付ける取付部などを備えている(例えば、特許文献１参照)。このような従来の接写装置では、被写体と撮影装置との間の距離を調整した後に、支柱の任意の位置に支持部材の基部を取付部によって固定して、最適な撮影距離から撮影装置によって被写体を撮影している。
【０００４】
【特許文献１】実開昭58-191492号公報
【発明の開示】
【発明が解決しようとする課題】
【０００５】
図２５は、従来の接写装置を概略的に示す正面図である。図２６は、従来の接写装置を概略的に示す右側面図である。図２７は、従来の接写装置を概略的に示す平面図である。
図２５〜図２７に示す従来の接写装置１０３は、被写体Ｆを照明する照明装置１０２Ｒ，１０２Ｌと、被写体Ｆを載せる撮影台１０４と、この撮影台１０４に取り付けられた支柱部１０５と、この支柱部１０５を撮影台１０４に装着する装着部１０６と、支柱部１０５を装着部１０６に固定する固定部１０７と、照明装置１０２Ｒ，１０２Ｌを支持する支持装置１０８と、支柱部１０５に撮影装置１０１を着脱自在に固定する固定部１０９などを備えている。
【０００６】
従来の接写装置１０３では、撮影装置１０１のシャッタボタン（レリーズスイッチ）をリモートレリーズ装置によって遠隔操作するときには、撮影者がリモートレリーズ装置を手動操作してリモートレリーズ装置から撮影装置１０１に赤外線を照射してシャッタボタンを操作している。一方、従来の接写装置１０３では、被写体Ｆが所定長さに切断されて撓んだ状態のトロリ線などの電車線材料であるときには、照明装置１０１から照射した光がこの電車線材料の表面で反射する。このため、従来の接写装置１０３では、照明装置１０１の数を増やして照明装置１０１から電車線材料に様々な照射角度で光を照射する必要がある。その結果、従来の接写装置１０３では、リモートレリーズ装置から照射される赤外線が照明装置１０１から照射される強い光と干渉して、撮影装置１０１のシャッタボタンを操作することができない問題点がある。
【０００７】
この発明の課題は、被写体を照射する光が強くても撮影装置のシャッタボタンを確実に操作することができるとともに、取扱いが容易で撮影作業を向上させることができる撮影補助装置及び接写装置を提供することである。
【課題を解決するための手段】
【０００８】
この発明は、以下に記載するような解決手段により、前記課題を解決する。
なお、この発明の実施形態に対応する符号を付して説明するが、この実施形態に限定するものではない。
請求項１の発明は、図１〜図３、図１１〜図１５及び図１７〜図１９に示すように、撮影装置（１）によって被写体（Ｆ）を撮影するときに、この撮影装置のシャッタボタン（１ｃ）を遠隔で操作して撮影を補助する撮影補助装置であって、前記シャッタボタンを押圧する押圧部（２４）に、撮影者が操作する操作部（２３）からの操作力を機械的に伝達する操作力伝達部（２２）を備え、前記操作力伝達部は、前記撮影装置によって前記被写体を近距離から撮影するときに使用する接写装置（３）の支柱部（５）に収納されることを特徴とする撮影補助装置（２１）である。
【０００９】
請求項２の発明は、請求項１に記載の撮影補助装置において、図１〜図３及び図８に示すように、前記操作力伝達部は、使用時には前記接写装置の支柱部から引き出され、非使用時にはこの接写装置の支柱部に引き込まれることを特徴とする撮影補助装置である。
【００１０】
請求項３の発明は、請求項１又は請求項２に記載の撮影補助装置において、図１〜図３、図９及び図１０に示すように、前記撮影装置に前記押圧部を着脱自在に装着する装着部（２５）を備えることを特徴とする撮影補助装置である。
【００１１】
請求項４の発明は、請求項３に記載の撮影補助装置において、図１０に示すように、前記装着部は、前記シャッタボタンに前記押圧部を接触させた状態で前記撮影装置に巻き付けられるベルト部（２６）と、前記ベルト部を着脱自在に締結する締結部（２７）とを備えることを特徴とする撮影補助装置である。
【００１２】
請求項５の発明は、請求項１から請求項４までのいずれか１項に記載の撮影補助装置において、図８に示すように、前記操作力伝達部は、一方の端部が前記操作部に接続され、他方の端部が前記押圧部に接続されており、前記操作部に接続される側が前記接写装置の支柱部の一方の収容口（５ｂ）に収容され、前記押圧部に接続される側が前記接写装置の支柱部の他方の収容口（５ｃ）に収容されることを特徴とする撮影補助装置である。
【００１３】
請求項６の発明は、図２１及び図２２に示すように、撮影装置（１）によって被写体（Ｆ）を撮影するときに、この撮影装置のシャッタボタン（１ｃ）を遠隔で操作して撮影を補助する撮影補助装置であって、前記シャッタボタンを押圧する押圧部（３４）に、撮影者が操作する操作部（３３）からの操作力を機械的に伝達する操作力伝達部（３２）を備え、前記押圧部は、前記被写体を近距離から撮影するときに使用する接写装置（３）の支柱部（５）に固定される前記撮影装置の支持装置（１１）に着脱自在に装着されることを特徴とする撮影補助装置（２１）である。
【００１４】
請求項７の発明は、請求項６に記載の撮影補助装置において、図２３及び図２４に支援すように、前記押圧部は、使用時には前記支持装置に装着され、非使用時にはこの支持装置から取り外されることを特徴とする撮影補助装置である。
【００１５】
請求項８の発明は、請求項６又は請求項７に記載の撮影補助装置において、図２３及び図２４に支援すように、前記支持装置に前記押圧部を着脱自在に装着する装着部（３５）を備えることを特徴とする撮影補助装置である。
【００１６】
請求項９の発明は、請求項８に記載の撮影補助装置において、前記支持装置は、一方の端部側が前記支柱部に固定される固定部（９）に着脱自在に連結され、他方の端部が前記撮影装置に着脱自在に連結されるフレーム部（１１ａ）を備え、前記装着部は、前記フレーム部の端部に前記押圧部を着脱自在に装着することを特徴とする撮影補助装置である。
【００１７】
請求項１０の発明は、請求項６から請求項９までのいずれか１項に記載の撮影補助装置において、図２４に示すように、前記操作力伝達部は、一方の端部が前記操作部に接続され、他方の端部が前記押圧部に接続されており、前記操作部からの操作力を流体圧として前記押圧部に作用させることを特徴とする撮影補助装置である。
【００１８】
請求項１１の発明は、図１〜図３、図１１〜図１５及び図１７〜図１９に示すように、撮影装置（１）によって被写体（Ｆ）を近距離から撮影するための接写装置であって、請求項１から請求項１０までのいずれか１項に記載の撮影補助装置（２１）を着脱自在に備えることを特徴とする接写装置（３）である。
【発明の効果】
【００１９】
この発明によると、被写体を照射する光が強くても撮影装置のシャッタボタンを確実に操作することができるとともに、取扱いが容易で撮影作業を向上させることができる。
【図面の簡単な説明】
【００２０】
【図１】この発明の第１実施形態に係る撮影補助装置を備える接写装置を概略的に示す正面図である。
【図２】この発明の第１実施形態に係る撮影補助装置を備える接写装置を概略的に示す側面図である。
【図３】この発明の第１実施形態に係る撮影補助装置を備える接写装置を概略的に示す平面図である。
【図４】この発明の第１実施形態に係る撮影補助装置を概略的に示す平面図である。
【図５】この発明の第１実施形態に係る撮影補助装置を概略的に示す正面図である。
【図６】この発明の第１実施形態に係る発明補助装置を概略的に示す側面図である。
【図７】図４のVII-VII線で切断した状態を示す断面図である。
【図８】この発明の第１実施形態に係る撮影補助装置の接触力伝達部の収容状態を概略的に示す断面図である。
【図９】この発明の第１実施形態に係る撮影補助装置の装着部の装着状態を概略的に示す平面図である。
【図１０】図９のX-X線で切断した状態を示す断面図である。
【図１１】この発明の第２実施形態に係る撮影補助装置を備える接写装置を概略的に示す正面図である。
【図１２】この発明の第２実施形態に係る撮影補助装置を備える接写装置を概略的に示す側面図である。
【図１３】この発明の第２実施形態に係る撮影補助装置を備える接写装置を概略的に示す平面図である。
【図１４】この発明の第３実施形態に係る撮影補助装置を備える接写装置を概略的に示す正面図である。
【図１５】この発明の第３実施形態に係る撮影補助装置を備える接写装置を概略的に示す平面図である。
【図１６】この発明の第３実施形態に係る撮影補助装置の側面図である。
【図１７】この発明の第４実施形態に係る撮影補助装置を備える接写装置の正面図である。
【図１８】この発明の第４実施形態に係る撮影補助装置を備える接写装置の正面図である。
【図１９】この発明の第４実施形態に係る撮影補助装置を備える接写装置の右正面図である。
【図２０】図１８のXX-XX線で切断した状態を示す断面図である。
【図２１】この発明の第５実施形態に係る撮影補助装置を備える接写装置の側面図である。
【図２２】この発明の第５実施形態に係る撮影補助装置を備える接写装置の平面図である。
【図２３】この発明の第５実施形態に係る撮影補助装置の平面図である。
【図２４】この発明の第５実施形態に係る撮影補助装置の横断面図である。
【図２５】従来の接写装置を概略的に示す正面図である。
【図２６】従来の接写装置を概略的に示す側面図である。
【図２７】従来の接写装置を概略的に示す平面図である。
【発明を実施するための形態】
【００２１】
（第１実施形態）
以下、図面を参照して、この発明の第１実施形態について詳しく説明する。
図１は、この発明の第１実施形態に係る撮影補助装置を備える接写装置を概略的に示す正面図である。図２は、この発明の第１実施形態に係る撮影補助装置を備える接写装置を概略的に示す側面図である。図３は、この発明の第１実施形態に係る撮影補助装置を備える接写装置を概略的に示す平面図である。
【００２２】
図１〜図３に示す被写体Ｆは、撮影装置１によって撮影される撮影対象物である。被写体Ｆは、例えば、鉄道車両、集電装置、電車線路又は軌道構造物などの撤去品である。被写体Ｆは、例えば、鉄道車両に関する撤去品であるときには、この鉄道車両の車輪又はこの車輪の踏面と接触するブレーキ装置の制輪子などである。被写体Ｆは、例えば、集電装置に関する撤去品であるときには、集電装置のすり板又はこのすり板が接触するトロリ線などである。被写体Ｆは、例えば、電車線路に関する撤去品であるときには、集電装置のすり板が接触するトロリ線、このトロリ線をちょう架線又は補助ちょう架線に吊り下げるハンガイヤー、補助ちょう架線をちょう架線に吊り下げるドロッパ、トロリ線にき電用変電所から電力を供給するためのき電線、曲線区間においてトロリ線を曲線外側に引っ張る曲線引金具、直線区間においてトロリ線の振動を抑えトロリ線にジグザグ偏位を付与する振止金具、絶縁のために加圧部分と接地部分との間に設置される碍子などである。被写体Ｆは、例えば、軌道構造物に関する撤去品であるときには、鉄道車両の車輪と接触するレール、このレールを支持体に締結するレール締結装置の締結ボルト、このレールの継目部分を接続する継目板などである。図１に示す被写体Ｆは、硬銅より線、硬アルミニウムより線又は鋼心アルミニウムより線などからなり所定長さに切断されたき電線である。図２に示す撮影者Ｍは、撮影装置１を使用して被写体Ｆを撮影する使用者である。
【００２３】
図１〜図３に示す撮影装置１は、撮影台４上の被写体Ｆを撮影する装置である。撮影装置１は、例えば、撮影光学系を透過した被写体像を光電気変換素子（撮像素子）に撮像させるディジタル式カメラ（電子スチルカメラ）などである。図１〜図３に示す撮影装置１は、撮影者Ｍが撮影範囲を視認するためのビューファインダを使用して被写体Ｆを撮影するビューファインダカメラ（いわゆるコンパクトカメラ）である。撮影装置１は、撮影光学系を収容する図１及び図２に示すレンズ鏡筒１ａと、このレンズ鏡筒１ａが装着される図１〜図３に示すカメラボディ（撮影装置本体）１ｂと、撮影動作を開始するときに操作される図２に示すシャッタボタン（レリーズスイッチ(撮影動作開始スイッチ))１ｃと、光電気変換素子が撮像した画像を画面上に表示する図３に示す表示部１ｄと、撮影装置１を三脚に取り付けて撮影するときにこの三脚の雲台を取り付ける図２及び図３に示す取付部１ｅなどを備えている。
【００２４】
図１及び図３に示す照明装置２Ｒ，２Ｌは、被写体Ｆを照明する装置である。図１〜図３に示す照明装置２Ｒは、被写体Ｆに対して右上方から光を照射し、図１及び図３に示す照明装置２Ｌは被写体Ｆに対して左上方から光を照射する。照明装置２Ｒ，２Ｌは、被写体Ｆに正面側から光を照射する正面側光照射部として機能する。照明装置２Ｒ，２Ｌは、ON/OFFを切り替える図示しない切替スイッチを備えており、この切替スイッチをON位置又はOFF位置に撮影者Ｍが操作することによって、それぞれ点灯状態及び消灯状態に切り替わる。
【００２５】
図１〜図３に示す接写装置３は、撮影装置１によって被写体Ｆを近距離から撮影するための装置である。接写装置３は、図１及び図２に示すように、撮影装置１によって被写体Ｆを上方から撮影可能であり、被写体Ｆと撮影装置１との間の撮影距離を任意に調整して被写体Ｆを原寸大、拡大又は縮小して撮影する。接写装置３は、図１〜図３に示す撮影台４と、支柱部５と、図１及び図２に示す装着部６と、図１及び図３に示す固定部７と、図１〜図３に示す支持装置８と、図２及び図３に示す固定部９と、図１〜図３に示す支持装置１０と、撮影補助装置１３，２１などを備えている。
【００２６】
図１〜図３に示す撮影台４は、被写体Ｆを載せる部分であり、撮影装置１によって被写体Ｆを撮影するときに使用する。撮影台４は、撮影補助装置１３を使用するときにはこの撮影補助装置１３を搭載可能である。撮影台４は、図３に示すように、外観が四角形状の板状部材であり、図１及び図２に示すように撮影台４の上面は平坦面に形成されている。撮影台４は、テーブルなどの固定部材上に設置可能であり、底面の隅部に４個の脚部４ａを備えている。
【００２７】
図１〜図３に示す支柱部５は、支持装置８，１０を支持する部分であり、撮影台４に取り付けられている。支柱部５は、内部が中空で断面が四角形状であり、図１及び図２に示すように垂直方向に伸びた柱状部材である。支柱部５は、図３に示すように、下端部が撮影台４の縁部中央に取り付けられている。支柱部５は、接写装置３の使用時には撮影台４に装着されるが、接写装置３の非使用時には収納及び運搬が可能なように撮影台４から取り外される。支柱部５は、撮影補助装置２１の操作力伝達部２２を格納する格納部としても機能する。支柱部５は、図１〜図３に示すように、この支柱部５の上端部を塞ぐ塞ぎ部５ａなどを備えており、塞ぎ部５ａは、支柱部５の上端部と着脱自在に嵌合可能である。塞ぎ部５ａは、図１及び図３に示すように、収容口５ｂ，５ｃなどを備えており、これらの収容口５ｂ，５ｃを備えず支柱部５の上端部と着脱自在に嵌合可能な塞ぎ部との間で交換可能である。
【００２８】
図１及び図２に示す装着部６は、支柱部５を撮影台４に着脱自在に装着する部分である。装着部６は、支柱部５の下端部が着脱自在に嵌合する筒状の部分であり、図３に示すように撮影台４の上面の縁部中央にねじ止め又は溶接などによって固定されている。装着部６は、支柱部５の外径よりも僅かに内径が大きく形成されており、図１及び図２に示すように支柱部５の下端部が挿入された状態でこの支柱部５が傾かないようにこの支柱部５の下端部を保持している。
【００２９】
図１及び図３に示す固定部７は、支柱部５を装着部６に固定する部分である。固定部７は、支柱部５を撮影台４に固定及び固定解除するときに回転操作される操作部７ａを備えている。固定部７は、操作部７ａが締め付けられると支柱部５の外周部と装着部６の内周部とを密着させ、操作部７ａが緩められると支柱部５の外周部と装着部６の内周部との間に隙間を形成する。
【００３０】
図１〜図３に示す支持装置８は、照明装置２Ｒ，２Ｌを支持する装置である。支持装置８は、支柱部５に着脱自在に装着されており、照明装置２Ｒ，２Ｌの使用時には支柱部５に装着され、照明装置２Ｒ，２Ｌの非使用時には収納及び運搬が可能なように支柱部５から取り外される。支持装置８は、図１〜図３に示す支柱部８ａと、図１及び図３に示す取付部８ｂ，８ｃと、図１〜図３に示すスライド部８ｄと、固定ねじ部８ｅなどを備えている。
【００３１】
図１〜図３に示す支柱部８ａは、照明装置２Ｒ，２Ｌを支持する部分である。支柱部８ａは、図１及び図３に示すように水平方向に伸びた柱状部材であり、中央部が支柱部５に取り付けられている。図１及び図３に示すように、取付部８ｂは照明装置２Ｒを支柱部８ａに取り付ける部材であり、取付部８ｃは照明装置２Ｌを支柱部８ａに取り付ける部材である。取付部８ｂ，８ｃは、いずれも同一構造であり、被写体Ｆに対する照明装置２Ｒ，２Ｌの光の照射方向を任意に調節可能なように照明装置２Ｒ，２Ｌを支持しており、図１〜図３に示すように支柱部８ａの任意の位置に取り付け可能なようにクリップ状に形成されている。スライド部８ｄは、支柱部５の長さ方向に沿って移動可能な部材である。スライド部８ｄは、図３に示すように支柱部５の外側に嵌め込まれる環状部材であり、スライド部８ｄの内面は支柱部５の両側面及び後面と接触し、支柱部５の前面との間に間隙部を形成している。スライド部８ｄは、支柱部８ａを長さ方向に移動可能なように支持している。図１〜図３に示す固定ねじ部８ｅは、支柱部８ａを支柱部５に固定する止めねじである。固定ねじ部８ｅは、図３に示すように、支柱部５の前面と先端部が接触する雄ねじ部８ｆと、この雄ねじ部８ｆを回転操作させる操作部８ｇなどを備えている。固定ねじ部８ｅは、操作部８ｇが締め付ける方向に回転操作されると支柱部５の前面に雄ねじ部８ｆの先端部を密着させて、スライド部８ｄを所定の高さに停止させ、操作部８ｇが緩める方向に回転操作されると支柱部５の前面から雄ねじ部８ｆの先端部が遠ざかり、スライド部８ｄを移動可能にする。
【００３２】
図２及び図３に示す固定部９は、撮影台４上の支柱部５に固定される部分であり、支持装置１０を着脱自在に固定する。固定部９は、図２６及び図２７に示す従来の接写装置１０３の固定部１０９と同一構造である。固定部９は、図２及び図３に示すスライド部９ａと、取付部９ｂと、固定ねじ部９ｃ，９ｄなどを備えている。
【００３３】
スライド部９ａは、支柱部５の長さ方向に沿って移動可能な部分であり、支柱部５の外側に嵌め込まれている。スライド部９ａは、支柱部５の外径よりも僅かに内径が大きく形成されており、支柱部５に装着された状態でこの支柱部５に対してスライド部９ａが傾かないようにこの支柱部５に支持されている。
【００３４】
取付部９ｂは、連結部１１を取り付ける部分である。取付部９ｂは、図２に示すように、スライド部９ａと一体に形成されており、支柱部５の長さ方向に沿ってスライド部９ａとともに移動可能である。取付部９ｂは、図２及び図３に示すように、連結部１１のフレーム部１１ａの側面と密着可能なように先端部が平面状に形成されている。
【００３５】
図２及び図３に示す固定ねじ部９ｃは、スライド部９ａを支柱部５に固定する止めねじである。固定ねじ部９ｃは、スライド部９ａを固定及び固定解除するときに回転操作される操作部９ｅを備えており、この操作部９ｅが締め付ける方向に回転操作されると支柱部５にスライド部９ａを密着させて所定の高さに停止させ、この操作部９ｅが緩める方向に回転操作されるとスライド部９ａを移動可能にする。
【００３６】
固定ねじ部９ｄは、支持装置１０を取付部９ｂに固定する止めねじである。固定ねじ部９ｄは、支持装置１０を固定及び固定解除するときに回転操作させる操作部９ｆを備えている。固定ねじ部９ｄは、操作部９ｆが締め付ける方向に回転操作されると支持装置１０を固定部９に固定し、操作部９ｆが緩める方向に回転操作されると支持装置１０を固定部９から取り外し可能にする。固定ねじ部９ｄは、図２６及び図２７に示す従来の接写装置１０３の固定部１０９と同様に、撮影装置１の取付部１ｅを取付部９ｂに固定することも可能である。
【００３７】
図１〜図３に示す支持装置１０は、撮影装置１を支持する装置である。支持装置１０は、図２６及び図２７に示す従来の接写装置１０３の固定部１０９の取付部１０９ｂに装着可能であり、従来の接写装置１０３にオプション品として簡単に装着可能な構造である。支持装置１０は、図１〜図３に示すように、連結部１１と固定部１２などを備えている。
【００３８】
連結部１１は、図３に示すように、撮影台４上の被写体Ｆの上下と撮影装置１の上下とが一致するように、この撮影装置１と固定部９とを連結する部材である。連結部１１は、撮影装置１の上部が支柱部５側に位置するように、この撮影装置１の底部とこの固定部９とを連結する。連結部１１は、図１〜図３に示すフレーム部１１ａと、図２及び図３に示す補強部１１ｂなどを備えている。
【００３９】
図１〜図３に示すフレーム部１１ａは、一方の端部側が固定部９に着脱自在に連結され、他方の端部側が撮影装置１に着脱自在に連結される略Ｕ字状の部材である。フレーム部１１ａは、例えば、溶接、切削加工又はプレス加工によって形成された金属製の部材、射出成形によって形成された合成樹脂製の部材であり、断面がＨ形、四角形又は円形に形成されている。フレーム部１１ａは、図３に示すように、３つの直線部から構成されており、互に平行に配置された２つの直線部と、これらの直線部に対して垂直に配置されてこれらの直線部を繋ぐ１つの直線部と、略90°に屈曲した２つの屈曲部とを備えている。
【００４０】
図２及び図３に示す補強部１１ｂは、フレーム部１１ａの屈曲部を補強する部分である。補強部１１ｂは、図３に示すように、フレーム部１１ａの屈曲部の内側に形成されたリブなどであり、撮影装置１の重量によって屈曲部に曲げ応力が作用してフレーム部１１ａが撓まないように、フレーム部１１ａに剛性を付与している。
【００４１】
図１〜図３に示す固定部１２は、撮影装置１を支持装置１０に着脱自在に固定する部分である。固定部１２は、例えば、撮影装置１の取付部１ｅの雌ねじ部と噛み合う雄ねじ部を有する止めねじである。固定部１２は、撮影装置１を固定及び固定解除するときに回転操作させる操作部１２ａを備えている。固定部１２は、操作部１２ａが締め付ける方向に回転操作されるとフレーム部１１ａに撮影装置１を固定し、操作部１２ａが緩める方向に回転操作されるとフレーム部１１ａから撮影装置１を取り外し可能にする。
【００４２】
図４は、この発明の第１実施形態に係る撮影補助装置を概略的に示す平面図である。図５は、この発明の第１実施形態に係る撮影補助装置を概略的に示す正面図である。図６は、この発明の第１実施形態に係る発明補助装置を概略的に示す側面図である。図７は、図４のVII-VII線で切断した状態を示す断面図である。
【００４３】
図１〜図３に示す撮影補助装置１３は、撮影装置１によって被写体Ｆを撮影するときに、この被写体Ｆの姿勢を所定の姿勢に保持して撮影を補助する装置である。撮影補助装置１３は、撮影者Ｍが撮影装置１によって被写体Ｆの任意の位置を撮影するときに、この被写体Ｆの姿勢が変化しないようにこの被写体Ｆの姿勢を一定に維持する。また、撮影補助装置１３は、撮影装置１によって被写体Ｆを撮影するときにこの被写体Ｆに光を照射して撮影を補助する装置である。撮影補助装置１３は、照明装置２Ｒ，２Ｌによって被写体Ｆに光を照射するときに、この被写体Ｆの表面で光が反射しないようにこの被写体Ｆに略均一の光を照射する。撮影補助装置１３は、接写装置３の撮影台４に着脱自在に搭載可能であり、この接写装置３のアダプタ方式の付属品又は撮影者Ｍが必要に応じて選択可能なアダプタ方式のオプション品である。撮影補助装置１３は、図４及び図５に示す姿勢保持部１４Ｒ，１４Ｌと、図６及び図７に示す固定部１５Ｒ，１５Ｌと、図４、図６及び図７に示すスケール部１６と、図４、図５及び図７に示す色見本部１７と、図４〜図７に示す装着部１８と、図７に示す背面側光照射部１９と、光フィルタ部２０などを備えている。
【００４４】
図４及び図５に示す姿勢保持部１４Ｒ，１４Ｌは、被写体Ｆの姿勢を所定の姿勢に保持する部分である。姿勢保持部１４Ｒ，１４Ｌは、被写体Ｆの姿勢を所定の姿勢に保持するために、この被写体Ｆを着脱自在に把持する。姿勢保持部１４Ｒ，１４Ｌは、外径の異なる種々の被写体Ｆを挟み込み保持可能なように、外観が固定クリップ状に形成されている。姿勢保持部１４Ｒ，１４Ｌは、被写体Ｆが長さや形状が多種多様であり撮影台４に載せたときにこの被写体Ｆが転がって、撮影者Ｍがこの被写体Ｆを撮影したい撮影角度に固定できないようなときに、この被写体Ｆの姿勢を撮影者Ｍが希望する所定の姿勢に保持する。姿勢保持部１４Ｒ，１４Ｌは、被写体Ｆが所定長さの線状部材又は棒状部材であるときに、この被写体Ｆの一方の端部側と他方の端部側とをそれぞれ保持する。姿勢保持部１４Ｒ，１４Ｌは、いずれも略同一構造であり、以下では一方の姿勢保持部１４Ｒについて説明し、他方の姿勢保持部１４Ｌについては詳細な説明を省略する。姿勢保持部１４Ｒ，１４Ｌは、図４〜図７に示す固定片部１４ａと、可動片部１４ｂと、図４、図６及び図７に示す連結部１４ｃと、図６に示す付勢部１４ｄと、図５〜図７に示す滑り止め部１４ｅなどを備えている。
【００４５】
図４〜図７に示す固定片部１４ａは、可動片部１４ｂとの間で被写体Ｆを挟み込む部分である。固定片部１４ａは、先端部側に被写体Ｆを挟み込む挟み込み部が形成されている。可動片部１４ｂは、固定片部１４ａとの間で被写体Ｆを挟み込む部分である。可動片部１４ｂは、固定片部１４ａと同様に、先端部側に被写体Ｆを挟み込む挟み込み部が形成されており、後端部側に撮影者Ｍによって操作される操作部が形成されている。可動片部１４ｂは、連結部１４ｃを回転中心として回転可能である。図４、図６及び図７に示す連結部１４ｃは、固定片部１４ａと可動片部１４ｂとを回転自在に連結する部分であり、固定片部１４ａの中心を貫通する貫通孔と、可動片部１４ｂの中心を貫通する貫通孔とに挿入されている。
【００４６】
図６に示す付勢部１４ｄは、固定片部１４ａと可動片部１４ｂとの間に被写体Ｆが挟み込まれるように、固定片部１４ａに向かって可動片部１４ｂを付勢する部分である。付勢部１４ｄは、素線を円筒形に巻いて形成されたねじりコイルばねであり、一方の端部が固定片部１４ａに固定され、他方の端部が可動片部１４ｂに固定されており、円筒部が連結部１４ｃに嵌め込まれて固定されている。付勢部１４ｄは、固定片部１４ａの先端部と可動片部１４ｂの先端部とが接触する方向に弾性力（付勢力）を常時発生しており、固定片部１４ａの先端部と可動片部１４ｂの先端部とが離間する方向に可動片部１４ｂの後端部を撮影者Ｍが操作したときには撮影者Ｍの操作力によって弾性変形して撓む。
【００４７】
図５〜図７に示す滑り止め部１４ｅは、固定片部１４ａと被写体Ｆとの間の滑りを防止するとともに、可動片部１４ｂと被写体Ｆとの間の滑りを防止する部分である。滑り止め部１４ｅは、固定片部１４ａの先端部と可動片部１４ｂの先端部とに形成されており、被写体Ｆの表面を傷つけないような弾性を有するゴム板などである。滑り止め部１４ｅは、固定片部１４ａ及び可動片部１４ｂの被写体Ｆと接触する側の表面に接着剤などによって貼り付けられている。
【００４８】
図６及び図７に示す固定部１５Ｒ，１５Ｌは、姿勢保持部１４Ｒ，１４Ｌを装着部１８に着脱自在に固定する部分である。固定部１５Ｒ，１５Ｌは、被写体Ｆが転がり易い形状であり被写体Ｆの姿勢を保持し難いときには、姿勢保持部１４Ｒ，１４Ｌを装着部１８に固定し、被写体Ｆが転がり難い形状であり被写体Ｆの姿勢を保持し易いときには、姿勢保持部１４Ｒ，１４Ｌから装着部１８を固定解除する。固定部１５Ｒ，１５Ｌは、被写体Ｆと接触する側の表面とは反対側の固定片部１４ａの表面（下面）を支持部１８ｂに固定しており、この固定片部１４ａの後端部を貫通して支持部１８ｂにねじ込まれるボルト又は止めねじなどである。
【００４９】
図４、図６及び図７に示すスケール部１６は、撮影装置１によって被写体Ｆとともに撮影される基準スケールを表示する部分である。スケール部１６は、使用時には巻取り状態から引伸ばし状態になり、非使用時には引伸ばし状態から巻取り状態になる巻尺である。スケール部１６は、図４に示すように、姿勢保持部１４Ｒ側の可動片部１４ｂに固定されており、この可動片部１４ｂの連結部１４ｃ寄りに固定されている。スケール部１６は、図４及び図７に示すスケール本体部１６ａと、図４〜図６に示す収容部１６ｂと、図４に示す引出操作部１６ｃと、図４及び図５に示すストッパ部１６ｄなどを備えている。
【００５０】
図４及び図７に示すスケール本体部１６ａは、表面に目盛りが表示された部分である。スケール本体部１６ａは、帯状の金属製の薄板材の表面に目盛り（基準スケール）が表示されており、引伸ばし状態では弛まないように、幅方向で切断したときの断面が凹状に形成されており剛性が付与されている。スケール本体部１６ａの表面は、照明装置２Ｒ，２Ｌから照射される光が反射するのを防ぐ反射防止材によって被覆されている。
【００５１】
図４〜図６に示す収容部１６ｂは、スケール本体部１６ａを巻取り状態で収容する部分である。収容部１６ｂは、スケール本体部１６ａを内部に引き込むための付勢力を発生する引き戻しばねを備えており、この引き戻しばねの付勢力によってスケール本体部１６ａを巻取り内部に収容する。図４に示す引出操作部１６ｃは、スケール本体部１６ａを収容部１６ｂから引き出すときに撮影者Ｍが操作する部分である。引出操作部１６ｃは、スケール本体部１６ａの先端部に取り付けられた略Ｌ字状の掛け止め部材であり、収容部１６ｂ内の引き戻しばねの付勢力に抗して撮影者Ｍがスケール本体部１６ａを引き出すときに操作される。
【００５２】
図４及び図５に示すストッパ部１６ｄは、スケール本体部１６ａが収容部１６ｂ内から所定長さだけ引き伸ばされた状態を維持するときに撮影者Ｍが操作する。ストッパ部１６ｄは、スケール本体部１６ａを収容部６ｂから引き出し及び引き戻すときに操作される第１の操作位置と、スケール本体部１６ａを収容部１６ｂから引伸ばした状態で維持するときに操作される第２の操作位置とに切り替えるスライド式のスイッチである。ストッパ部１６ｄは、スケール本体部１６ａを収容部１６ｂ内から引き出した後に撮影者Ｍが第２の操作位置にスライド操作するとスケール本体部１６ａと接触して、このスケール本体部１６ａが引き戻しばねの付勢力によって収容部１６ｂ内に引き込まれるのを阻止する。一方、ストッパ部１６ｄは、スケール本体部１６ａを収容部１６ｂ内から引き出した状態で撮影者Ｍが第１の操作位置にスライド操作するとスケール本体部１６ａと離間して、このスケール本体部１６ａが引き戻しばねの付勢力によって収容部１６ｂ内に引き込まれるのを許容する。また、ストッパ部１６ｄは、スケール本体部１６ａを収容部１６ｂ内に巻き取られた状態で撮影者Ｍが第１の操作位置にスライド操作するとスケール本体部１６ａと離間して、このスケール本体部１６ａが引き戻しばねの付勢力に抗して収容部１６ｂ内から引き出されるのを許容する。
【００５３】
図４、図５及び図７に示す色見本部１７は、撮影装置１によって被写体Ｆとともに撮影される基準色を表示する部分である。色見本部１７は、帯状の金属製の薄板材の表面に、赤色(R)、緑色(G)及び青色(B)などの基準色が表示されている。色見本部１７は、図４に示すように、姿勢保持部１４Ｒと姿勢保持部１４Ｌとを連結する連結部としても機能し、一方の端部が姿勢保持部１４Ｒ側の可動片部１４ｂに固定されており、他方の端部が姿勢保持部１４Ｌ側の可動片部１４ｂに固定されている。色見本部１７は、姿勢保持部１４Ｒ，１４Ｌによって被写体Ｆを把持したときに、この色見本部１７とスケール部１６との間に被写体Ｆが配置されるように、可動片部１４ｂの先端寄りに固定されている。
【００５４】
図１及び図３に示す装着部１８は、撮影装置１によって被写体Ｆを近距離から撮影するときに使用する撮影台４に姿勢保持部１４Ｒ，１４Ｌを着脱自在に装着する部分である。装着部１８は、図７に示すように、背面側光照射部１９を撮影台４に着脱自在に装着する。装着部１８は、図４〜図７に示すように、接写装置３の撮影台４に搭載可能な外観が板状のケーシング部材（置き台）であり、姿勢保持部１４Ｒ，１４Ｌを支持する台座として機能するとともに、背面側光照射部１９などを収容する収容部としても機能する。装着部１８は、透明又は半透明のガラス板又は合成樹脂板によって製造されており、照明装置２Ｒ，２Ｌから照射される光が反射するのを防ぐ反射防止材によって被覆されている。装着部１８は、図５〜図７に示す搭載部１８ａと、図４〜図７に示す支持部１８ｂと、枠部１８ｃと、図７に示す透過部１８ｄと、差し込み部１８ｅなどを備えている。
【００５５】
図５〜図７に示す搭載部１８ａは、装着部１８の下面を構成する部分である。搭載部１８ａは、撮影台４の上面に搭載される平坦面であり、図１及び図３に示すように撮影台４の上面内に装着部１８が装着可能なように、この撮影台４の上面よりも幅及び奥行きが小さく形成されている。図４〜図７に示す支持部１８ｂは、装着部１８の上面を構成する部分である。支持部１８ｂは、図５に示すように、姿勢保持部１４Ｒ，１４Ｌを支持する平坦面であり、中央部には開口部が形成されている。図４〜図７に示す枠部１８ｃは、装着部１８の枠体を構成する部分であり、搭載部１８ａと支持部１８ｂとの間に挟み込まれている。図７に示す透過部１８ｄは、背面側光照射部１９が照射する光を透過させる部分である。透過部１８ｄは、透明又は半透明のガラス板又は合成樹脂板であり、支持部１８ｂの開口部を塞ぐようにこの支持部１８ｂの開口部に装着されている。差し込み部１８ｅは、光フィルタ部２０を差し込む部分である。差し込み部１８ｅは、光フィルタ部２０を着脱自在に交換可能なように、枠部１８ｃを貫通してスリット状に形成されている。
【００５６】
図７に示す背面側光照射部１９は、図１〜図３に示すように被写体Ｆの正面から光を照射して撮影装置１によって撮影するときに、この被写体Ｆの背面側から光を照射する部分である。背面側光照射部１９は、図７に示すように、装着部１８内に収容されておりユニット化されている。背面側光照射部１９は、被写体Ｆを挟み照明装置２Ｒ，２Ｌと対向して配置されており、この被写体Ｆの表面に略均一に光が照射されるように、照明装置２Ｒ，２Ｌが照射する光が到達しない被写体Ｆの背面側に光を照射する。背面側光照射部１９は、発光部１９ａと、電源部１９ｂと、定電流回路１９ｃと、切替操作部１９ｄなどを備えている。
【００５７】
発光部１９ａは、光を照射する部分である。発光部１９ａは、発熱量が少なく白色又は電球色の光を照射する発光ダイオード(Light Emitting Diode(LED))などの下部照明装置（バックライト）であり、定電流回路１９ｃからの電流によって発光し所定の波長の光を照射する。発光部１９ａは、装着部１８内に所定の間隔をあけて複数並べて配置されている。電源部１９ｂは、発光部１９ａに電力を供給する部分であり、着脱自在で交換可能な電池などである。定電流回路１９ｃは、電源部１９ｂが発生する電力を一定の電流にして発光部１９ａに流す回路である。切替操作部１９ｄは、発光部１９ａを照明動作(ON)と消灯動作(OFF)とに切り替える部分であり、撮影者ＭのON/OFF操作によって電源部１９ｂから電力を供給及び遮断する切替スイッチなどである。
【００５８】
光フィルタ部２０は、被写体Ｆの正面側から照射する光の波長とこの被写体Ｆの背面側から照射する光の波長とが略一致するように、背面側光照射部１９が照射する光のうち所定の波長の光を通過させる部分である。光フィルタ部２０は、照明装置２Ｒ，２Ｌが照射する光の波長に対応して複数種類存在し、この照明装置２Ｒ，２Ｌが照射する光の波長に応じて着脱自在に交換可能である。光フィルタ部２０は、背面側光照射部１９を覆うようにこの背面側光照射部１９と透過部１８ｄとの間に配置されている。
【００５９】
図８は、この発明の第１実施形態に係る撮影補助装置の接触力伝達部の収容状態を概略的に示す断面図である。図９は、この発明の第１実施形態に係る撮影補助装置の装着部の装着状態を概略的に示す平面図である。図１０は、図９のX-X線で切断した状態を示す断面図である。
【００６０】
図２に示す撮影補助装置２１は、撮影装置１によって被写体Ｆを撮影するときに、この撮影装置１のシャッタボタン１ｃを遠隔で操作して撮影を補助する装置である。撮影補助装置２１は、照明装置２Ｒ，２Ｌから被写体Ｆに光を照射して撮影装置１によってこの被写体Ｆを撮影するときに、この照明装置２Ｒ，２Ｌからの光によってシャッタボタン１ｃの操作が支障を受けず、このシャッタボタン１ｃを確実に操作させる。撮影補助装置２１は、撮影装置１のシャッタボタン１ｃを遠隔で操作するワイヤ方式のレリーズ装置（レリーズケーブル）として機能する。撮影補助装置２１は、撮影補助装置１３と同様に接写装置３に着脱自在であり、この接写装置３の付属品又は撮影者Ｍが必要に応じて選択可能なオプション品である。撮影補助装置２１は、図８〜図１０に示す操作力伝達部２２と、操作部２３と、図８及び図１０に示す押圧部２４と、図８〜図１０に示す装着部２５などを備えている。
【００６１】
図１０に示す操作力伝達部２２は、シャッタボタン１ｃを押圧する押圧部２４に撮影者Ｍが操作する操作部２３からの操作力を機械的に伝達する部分である。操作力伝達部２２は、図１〜図３及び図８に示すように、撮影装置１によって被写体Ｆを近距離から撮影するときに使用する接写装置３の支柱部５に収納される。操作力伝達部２２は、図１〜図３、図９及び図１０に示すように、使用時には接写装置３の支柱部５から引き出され、図８に示すように非使用時にはこの接写装置３の支柱部５に引き込まれる。操作力伝達部２２は、図８及び図１０に示すように、一方の端部が操作部２３に接続され、他方の端部が押圧部２４に接続されており、図８に示すように操作部２３に接続される側が接写装置３の塞ぎ部５ａの収容口５ｂに収容され、押圧部２４に接続される側が接写装置３の塞ぎ部５ａの収容口５ｃに収容されている。操作力伝達部２２は、図８〜図１０に示すように、筒部２２ａと軸部２２ｂなどを備えている。
【００６２】
図８〜図１０に示す筒部２２ａは、軸部２２ｂを移動自在にガイドする部分であり、可撓性を有し柔軟な金属製又は合成樹脂製のチューブなどである。筒部２２ａは、図８及び図１０に示すように、両端部にフランジ部２２ｃ，２２ｄを備えている。フランジ部２２ｃは、操作部２３を撮影者Ｍが操作するときにこの撮影者Ｍが指を掛ける部分である。フランジ部２２ｃは、操作部２３が接続されている側の筒部２２ａの端部にこの筒部２２ａの外径よりも大きく形成されている。フランジ部２２ｄは、押圧部２４を移動自在にガイドする部分である。フランジ部２２ｄは、押圧部２４が接続されている側の筒部２２ａの端部にこの筒部２２ａの外径よりも大きく形成されている。フランジ部２２ｃ，２２ｄは、図８に示すように、筒部２２ａが収容口５ｂ，５ｃに収容されたときに塞ぎ部５ａの上面と接触し、この筒部２２ａが支柱部５内に完全に落ち込むのを防ぐためのストッパとして機能する。図１０に示す軸部２２ｂは、シャッタボタン１ｃを操作する操作力を伝達する部分であり、可撓性を有し柔軟であってこの操作力を伝達可能な程度の剛性を有する金属製のワイヤなどである。軸部２２ｂは、図８及び図１０に示すように、筒部２２ａ内に移動自在に収容されており、一方の端部が操作部２３に接続されており他方の端部が押圧部２４に接続されている。
【００６３】
図１０に示す操作部２３は、シャッタボタン１ｃを押圧するときに撮影者Ｍによって操作される部分である。操作部２３は、図８及び図１０に示すように、軸部２２ｂの端部に固定されておりこ、の軸部２２ｂの外径よりも太く形成されている。操作部２３は、撮影装置１のシャッタを開閉するときに撮影者Ｍによって手動で操作される。操作部２３は、図１０に示すＡ1方向に撮影者Ｍが操作したときには、軸部２２ｂと一体となってＡ1方向に移動し、Ａ1方向への操作を撮影者Ｍが中止したときには、シャッタボタン１ｃの復元力を受けて軸部２２ｂと一体となってＡ2方向に移動する。
【００６４】
押圧部２４は、操作部２３からの操作力を受けてシャッタボタン１ｃを押圧する部分であり、操作部２３の手動操作に連動して押圧動作する。押圧部２４は、図８〜図１０に示すように、操作部２３が接続されている側とは反対側の軸部２２ｂの端部に固定されており、この軸部２２ｂの外径よりも太く形成されている。押圧部２４は、図１０に示すＡ1方向に撮影者Ｍが操作部２３を操作したときには、シャッタボタン１ｃを押し下げて撮影装置１に撮影動作を開始(ON)させる。一方、押圧部２４は、Ａ1方向への操作を撮影者Ｍが中止したときには、シャッタボタン１ｃの復元力を受けてＡ2方向に移動して、次の撮影動作まで撮影装置１を準備状態(OFF)にする。
【００６５】
図８〜図１０に示す装着部２５は、撮影装置１に押圧部２４を着脱自在に装着する部分である。装着部２５は、図８及び図１０に示すように、押圧部２４が接続されている側の操作力伝達部２２の端部に取り付けられており、図１０に示すように、押圧部２４をシャッタボタン１ｃと接触させた状態でこのシャッタボタン１ｃを覆うように撮影装置１に装着される。装着部２５は、図９及び図１０に示すように、使用時には撮影装置１に巻き付けられて装着されており、図８に示すように非使用時には撮影装置１から取り外されて巻き取られている。装着部２５は、図８及び図１０に示すように、ベルト部２６と締結部２７などを備えている。
【００６６】
図１０に示すベルト部２６は、シャッタボタン１ｃに押圧部２４を接触させた状態で撮影装置１に巻き付けられる部分である。ベルト部２６は、可撓性を有する金属性又は合成樹脂製の固定帯（バインド部材）であり、図８及び図１０に支援すように長さ方向の中間部に操作力伝達部２２の筒部２２ａが貫通する貫通孔２６ａを備えている。ベルト部２６は、貫通孔２６ａに筒部２２ａを挿入した状態でこの筒部２２ａのフランジ部２２ｄに接着剤などによって固定されている。
【００６７】
図８及び図１０に示す締結部２７は、ベルト部２６を着脱自在に締結する部分である。締結部２７は、撮影装置１の大きさにかかわらずベルト部２６がこの撮影装置１に巻き付けられるように、このベルト部２６を長さ調整可能に締結する。締結部２７は、図１０に示すように、ベルト部２６が撮影装置１に密着するようにこのベルト部２６を締め付ける。締結部２７は、図８及び図１０に示すように、面ファスナ２７ａ，２７ｂなどを備えている。面ファスナ２７ａ，２７ｂは、ベルト部２６の一端部側と他端部側とを着脱自在に連結する部分である。面ファスナ２７ａ，２７ｂは、いずれか一方の表面には突起部が形成されており、他方の表面にはこの突起部と引っ掛かる環状部が形成されているファスナである。面ファスナ２７ａは、ベルト部２６の一方の端部に固定されており、面ファスナ２７ａはベルト部２６の他方の端部に固定されている。面ファスナ２７ａ，２７ｂは、大きさの異なる複数種類の撮影装置１にベルト部２６を装着可能なように所定の長さに形成されており、ベルト部２６の一方の端部側と他方の端部側とが重なり合う範囲内においてこのベルト部２６に接着剤によって固定又は縫い付けられている。
【００６８】
次に、この発明の第１実施形態に係る接写装置の組立方法を説明する。
図１及び図２に示す撮影台４をテーブル上などに設置して支柱部５の下端部を装着部６に挿入し、図１及び図２に示す固定部７の操作部７ａを回転操作して支柱部５を撮影台４に固定する。次に、支柱部５の上端部から固定部９のスライド部９ａをこの支柱部５に嵌め込み、支柱部５に沿ってスライド部９ａを任意の高さまで垂直方向にスライドさせ、図２及び図３に示す操作部９ｆを回転操作して支柱部５に固定部９を固定する。この状態で、図３に示す固定部９の取付部９ｂに支持装置１０のフレーム部１１ａを位置決めし、操作部９ｆを回転操作して固定部９に支持装置１０を固定する。次に、支持装置１０のフレーム部１１ａに撮影装置１を位置決めし、操作部１２ａを回転操作して支持装置１０のフレーム部１１ａに撮影装置１を固定する。
【００６９】
図１〜図３に示す支柱部５の上端部から支持装置８のスライド部８ｄをこの支柱部５に嵌め込み、支柱部５に沿ってスライド部８ｄを任意の高さまで垂直方向にスライドさせ、操作部８ｇを回転操作して支柱部５に支持装置８を固定する。次に、スライド部８ｄに支柱部８ａの端部を嵌め込み、図１及び図２に示すように支柱部５の中央部がスライド部８ｄに位置するまでこの支柱部５を水平方向にスライドさせる。この状態で、取付部８ｂによって照明装置２Ｒを支柱部５の一方の端部に取り付けるとともに、取付部８ｃによって照明装置２Ｌを支柱部５の他方の端部に取り付ける。
【００７０】
次に、この発明の第１実施形態に係る撮影補助装置の組立方法を説明する。
図１〜図３に示すように、撮影装置１の撮影領域内に撮影補助装置１３が入り込むように、この撮影補助装置１３の装着部１８の搭載部１８ａを撮影台４上に任意の位置に設置する。このとき、被写体Ｆが転がり易くこの被写体Ｆの姿勢を一定に維持し難いときには、姿勢保持部１４Ｒ，１４Ｌによって被写体Ｆの姿勢を一定に維持する必要がある。このため、固定部１５Ｒ，１５Ｌによって姿勢保持部１４Ｒ，１４Ｌを装着部１８に固定して、姿勢保持部１４Ｒ，１４Ｌによって被写体Ｆを把持した状態で撮影装置１によって被写体Ｆを撮影可能な状態にする。一方、被写体Ｆが転がり難くこの被写体Ｆの姿勢を一定に維持し易いときには、姿勢保持部１４Ｒ，１４Ｌによって被写体Ｆの姿勢を一定に維持する必要性が低い。このため、固定部１５Ｒ，１５Ｌを装着部１８から取り外して姿勢保持部１４Ｒ，１４Ｌを装着部１８から固定解除し、支持部１８ｂ上に被写体Ｆを直接載せて、撮影装置１によって被写体Ｆを撮影可能な状態に撮影者Ｍが選択可能である。
【００７１】
図１〜図３に示すように、照明装置２Ｒ，２Ｌから被写体Ｆに光を照射して撮影装置１によってこの被写体Ｆを撮影するときには、照明装置２Ｒ，２Ｌから照射される強い光と光学式のリモートレリーズ装置から照射される光とが干渉する。このため、この光学式のリモートレリーズ装置によって撮影装置１のシャッタボタン１ｃを操作することが困難になり、撮影補助装置２１によってシャッタボタン１ｃを機械的に操作する必要がある。図８に示す撮影補助装置２１の押圧部２４を撮影者Ｍが支柱部５の塞ぎ部５ａから引っ張ると、図９及び図１０に示すように支柱部５内に収容されている操作力伝達部２２の筒部２２ａがこの塞ぎ部５ａの収容口５ｃから引き出されて、押圧部２４が使用可能な状態になる。次に、図１０に示すように、シャッタボタン１ｃに押圧部２４を位置決めして、図９に示すように表示部１ｄを避けるように装着部２５のベルト部２６を撮影装置１に巻き付けて、図１０に示す締結部２７の面ファスナ２７ａと面ファスナ２７ｂとを重ね合わせて接合する。次に、図８に示す撮影補助装置２１の操作部２３を撮影者Ｍが支柱部５の塞ぎ部５ａから引っ張ると、図９及び図１０に示すように支柱部５内に収容されている操作力伝達部２２の筒部２２ａがこの塞ぎ部５ａの収容口５ｃから引き出されて、操作部２３が使用可能な状態になる。
【００７２】
次に、この発明の第１実施形態に係る接写装置の使用方法を説明する。
図３に示すように、撮影台４の支柱部５に近い側に被写体Ｆの上部が位置するように、撮影補助装置１３の姿勢保持部１４Ｒ，１４Ｌによって被写体Ｆの姿勢を保持する。この状態で、被写体Ｆに対する照明が適切になるように、照明装置２Ｒ，２Ｌの姿勢を変化させて光の照射角度を調整する。次に、図２及び図３に示す固定部９の操作部９ｅを緩めて、撮影装置１及び支持装置１０とともに固定部９を支柱部５の長さ方向に沿って移動させ、図３に示すように撮影装置１の表示部１ｄを参照しながら被写体Ｆと撮影装置１との間の撮影距離を調整する。このとき、図２に示すように、支柱部５とは反対側（接写装置３の手前側）から撮影者Ｍが被写体Ｆの位置を調整し撮影装置１を操作可能であるため、これらの作業を撮影者Ｍが実施するときに支柱部５が邪魔にならず作業性が向上する。被写体Ｆと撮影装置１との間の撮影距離を調整した後に、図２及び図３に示す操作部９ｅを締め付けて固定部９を支柱部５に固定し、被写体Ｆと撮影装置１との間の撮影距離を所定の長さに保持する。この状態で、図３に示す撮影装置１のシャッタボタン１ｃを操作すると、被写体Ｆの上下と撮影装置１の上下とが一致するため被写体Ｆの正像が撮影装置１によって撮影される。
【００７３】
次に、この発明の第１実施形態に係る撮影補助装置の使用方法を説明する。
図１〜図３に示すように、撮影補助装置１３を使用して撮影装置１によって被写体Ｆを撮影するときには、図１及び図３に示す姿勢保持部１４Ｒ，１４Ｌの可動片部１４ｂの後端部を固定片部１４ａの後端部に向かって撮影者Ｍが押し付ける。その結果、図７に示す付勢部１４ｄが発生する付勢力に抗して、可動片部１４ｂが連結部１４ｃを支点として回転し、固定片部１４ａの先端部と可動片部１４ｂの先端部との間に隙間が形成される。次に、図１及び図３に示すように、姿勢保持部１４Ｒ側の固定片部１４ａと可動片部１４ｂとの間の隙間に被写体Ｆの一方の端部を挟み込むとともに、姿勢保持部１４Ｌ側の固定片部１４ａと可動片部１４ｂとの間の隙間に被写体Ｆの他方の端部を挟み込むと、姿勢保持部１４Ｒ，１４Ｌによって被写体Ｆが把持される。この状態で、被写体Ｆの撮影したい部分が撮影装置１によって撮影されるように、撮影者Ｍが被写体Ｆの向きを手で調整し、撮影者Ｍが希望する向きに被写体Ｆの姿勢が維持される。被写体Ｆとともにスケール部１６を撮影装置１によって撮影したいときには、図４に示す引出操作部１６ｃを撮影者Ｍが操作して収容部１６ｂからスケール本体部１６ａを所定長さ分だけ引き出し、ストッパ部１６ｄを操作してスケール本体部１６ａを引伸ばし状態に維持する。
【００７４】
図１〜図３に示す照明装置２Ｒ，２Ｌからの光の照射だけでは被写体Ｆに略均一に光を照射することが難いときには、図７に示す背面側光照射部１９によって被写体Ｆの背面に光を照射する必要がある。このため、切替操作部１９ｄを撮影者ＭがON操作して電源部１９ｂから定電流回路１９ｃを通じて発光部１９ａに電流が流れると発光部１９ａが所定の波長の光を発生する。このとき、発光部１９ａからの光が光フィルタ部２０を通過するため、照明装置２Ｒ，２Ｌが照射する光の波長と発光部１９ａが照射する光の波長とが略一致し、被写体Ｆに略均一の光が照射される。
【００７５】
図１〜図３に示すように、撮影補助装置２１を使用して撮影装置１によって被写体Ｆを撮影するときには、図１０に示す操作部２３を撮影者ＭがＡ1方向に押し込むと、この操作部２３と一体となって操作力伝達部２２の軸部２２ｂが筒部２２ａ内をＡ1方向に移動する。その結果、撮影者Ｍが操作部２３を操作したときに発生する操作力が操作力伝達部２２を通じて押圧部２４に伝達される。このため、軸部２２ｂによって押圧部２４が押されて軸部２２ｂと一体となってこの押圧部２４がＡ1方向に移動し、シャッタボタン１ｃを押し下げて撮影装置１のシャッタが開閉し、この撮影装置１によって被写体Ｆが撮影される。撮影装置１による撮影動作が完了して撮影者Ｍが操作部２３から手を離すと、シャッタボタン１ｃの復元力によって押圧部２４がＡ2方向に移動し、軸部２２ｂがＡ2方向に移動するとともに操作部２３もＡ2方向に移動し、この操作部２３が撮影準備状態に復帰する。
【００７６】
この発明の第１実施形態に係る接写装置及び撮影補助装置には、以下に記載するような効果がある。
(1) この第１実施形態では、被写体Ｆの姿勢を所定の姿勢に姿勢保持部１４Ｒ，１４Ｌが保持し、撮影装置１によってこの被写体Ｆを撮影するときに使用する撮影台４にこの姿勢保持部１４Ｒ，１４Ｌを装着部１８が着脱自在に装着する。このため、種々の長さや形状の被写体Ｆの撮影姿勢を簡単な作業によって一定に維持し、被写体Ｆを撮影するときの作業性を向上させるとともに撮影効率を向上させることができる。また、既存の接写装置を改造せずに、既存の接写装置に撮影補助装置１３を簡単に装着して低コストで使用することができる。
【００７７】
(2) この第１実施形態では、姿勢保持部１４Ｒ，１４Ｌが被写体Ｆの姿勢を所定の姿勢に保持するために、この被写体Ｆを着脱自在に把持する。このため、例えば、転がり易く撮影姿勢を一定に保持することが困難なトロリ線などの電車線材料を確実に把持し、電車線材料の姿勢を一定の姿勢に維持することができる。
【００７８】
(3) この第１実施形態では、被写体Ｆの正面から光を照射して撮影装置１によってこの被写体Ｆを撮影するときに、この被写体Ｆの背面側から背面側光照射部１９が光を照射し、装着部１８が撮影台４に背面側光照射部１９を着脱自在に装着する。このため、種々の長さや形状の被写体Ｆに簡単な構造によって略均一に光を照射することができる。その結果、光源が被写体Ｆの上部及び下部に配置されるため、撮影装置１によって被写体Ｆを撮影するときにこの被写体Ｆに陰が生じるのを防ぐことができる。
【００７９】
(4) この第１実施形態では、目盛りを表示するスケール部１６が被写体Ｆとともに撮影装置１によって撮影される。このため、例えば、被写体Ｆが損傷品であるときにこの被写体Ｆの表面に発生した傷の大きさなどをスケール部１６によって正確に把握することができる。また、スケールを別部品として準備しておく必要がなく、撮影時にスケールを被写体Ｆと並べて設置する手間がかからず撮影作業を簡略化することができる。
【００８０】
(5) この第１実施形態では、スケール部１６が使用時には巻取り状態から引伸ばし状態になり、非使用時には引伸ばし状態から巻取り状態になる。その結果、撮影補助装置１３を使用しないときにはスケール部１６を収納状態にして格納することができるため、撮影補助装置１３をコンパクトな構造にすることができる。
【００８１】
(6) この第１実施形態では、基準色を表示する色見本部１７が被写体Ｆとともに撮影装置１によって撮影される。このため、光の加減によって被写体Ｆの色が鮮明でないようなときに、色見本部１７を参考にして画像の色合い（カラーバランス）を調整することによって被写体Ｆの撮影画像を印刷することができる。特に、被写体Ｆの錆びの状態などの撮影画像を正確に印刷することができる。また、色見本を別部品として準備しておく必要がなく、撮影時に色見本を被写体Ｆと並べて設置する手間がかからず撮影作業を簡略化することができる。
【００８２】
(7) この第１実施形態では、被写体Ｆの正面側から照射する光の波長とこの被写体Ｆの背面側から照射する光の波長とが略一致するように、背面側光照射部１９が照射する光のうち所定の波長の光を光フィルタ部２０が通過させる。このため、均一な光を被写体Ｆに照射して撮影装置１によってこの被写体Ｆを綺麗に撮影することができる。
【００８３】
(8) この第１実施形態では、シャッタボタン１ｃを押圧する押圧部２４に、撮影者Ｍが操作する操作部２３からの操作力を操作力伝達部２２が機械的に伝達し、撮影装置１によって被写体Ｆを近距離から撮影するときに使用する接写装置３の支柱部５にこの操作力伝達部２２が収納される。このため、照明装置２Ｒ，２Ｌからの強い光を操作力伝達部２２が受けても、操作部２３から押圧部２４に確実に操作力を伝達することができる。その結果、従来の赤外線を照射するリモートレリーズ装置のような照明装置２Ｒ，２Ｌからの光とこの赤外線とが干渉して撮影装置１が動作不良になってしまう不具合を回避することができる。また、接写装置３の支柱部５に操作力伝達部２２を収納することによって、撮影補助装置２１の紛失を防ぐことができるとともに、撮影補助装置２１の取扱いが容易になり撮影補助装置２１をコンパクトにすることができる。
【００８４】
(9) この第１実施形態では、操作力伝達部２２が使用時には接写装置３の支柱部５から引き出され、非使用時にはこの接写装置３の支柱部５に引き込まれる。このため、使用時には撮影補助装置２１を支柱部５から簡単に取り出して撮影を迅速に開始することができるとともに、非使用時には撮影補助装置２１を支柱部５に簡単に格納して撮影補助装置２１が邪魔になるのを防ぐことができる。
【００８５】
(10) この第１実施形態では、撮影装置１に押圧部２４を装着部２５が着脱自在に装着する。このため、操作部２３から伝わる操作力によって押圧部２４を押圧動作させてシャッタボタン１ｃを確実に押し込むことができる。また、使用時には押圧部２４を撮影装置１に簡単に装着し、非使用時には押圧部２４を撮影装置１から簡単に取り外すことができ、作業性を向上させることができる。さらに、撮影装置１が従来のレリーズケーブルを装着不可能ないわゆるコンパクトカメラであっても、コンパクトカメラに押圧部２４を確実に装着可能になって、撮影装置１の形式にかかわらずシャッタボタン１ｃを遠距離から操作することができる。
【００８６】
(11) この第１実施形態では、シャッタボタン１ｃに押圧部２４を接触させた状態で撮影装置１にベルト部２６が巻き付けられており、このベルト部２６を着脱自在に締結部２７が締結する。このため、撮影装置１に押圧部２４を簡単に着脱することができるとともに、形状や大きさの異なる種々の撮影装置１のシャッタボタン１ｃに押圧部２４を緩みなく強固に密着させることができる。
【００８７】
(12) この第１実施形態では、操作力伝達部２２の一方の端部が操作部２３に接続され、この操作力伝達部２２の他方の端部が押圧部２４に接続されており、この操作力伝達部２２の操作部２３に接続される側が接写装置３の支柱部５の一方の収容口５ｂに収容され、この操作力伝達部２２の押圧部２４に接続される側がこの接写装置３の支柱部５の他方の収容口５ｃに収容される。このため、接写装置３の美観を損ねずに操作力伝達部２２を支柱部５に格納することができる。また、操作力伝達部２２の操作部２３に接続される側と押圧部２４に接続される側とがそれぞれ別個の収容口５ｂ，５ｃに収容されるため、撮影者Ｍが視覚によって操作部２３と押圧部２４とを簡単に確認することができ、撮影作業を迅速に進めることができる。
【００８８】
(13) この第１実施形態では、撮影装置１によって被写体Ｆを近距離から撮影するための接写装置３が撮影補助装置１３，２１を着脱自在に備えている。このため、既存の接写装置３の構造を変えずに、撮影補助装置１３，２１をオプション品又は付属品として接写装置３に簡単に装着することができるとともに、不要時には撮影補助装置１３，２１を接写装置３から簡単に取り外すことができる。
【００８９】
（第２実施形態）
図１１は、この発明の第２実施形態に係る撮影補助装置を備える接写装置を概略的に示す正面図である。図１２は、この発明の第２実施形態に係る撮影補助装置を備える接写装置を概略的に示す側面図である。図１３は、この発明の第２実施形態に係る撮影補助装置を備える接写装置を概略的に示す平面図である。以下では、図１〜図１０に示す部分と同一の部分については、同一の番号を付して詳細な説明を省略する。
【００９０】
図１１〜図１３に示す撮影補助装置１３は、図１〜図３に示す装着部１８、図７に示す背面側光照射部１９及び光フィルタ部２０を備えておらず、図１１に示すように装着部２８Ｒ，２８Ｌなどを備えており、色見本部１７の一方の端部のみが姿勢保持部１４Ｒに固定されている。装着部２８Ｒ，２８Ｌは、姿勢保持部１４Ｒ，１４Ｌを撮影台４に着脱自在に装着する部分である。装着部２８Ｒ，２８Ｌは、撮影台４に着脱自在に吸着する磁力を発生する永久磁石であり、撮影台４の左右の側面に着脱自在に装着される。装着部２８Ｒ，２８Ｌは、図１１及び図１２に示すように、姿勢保持部１４Ｒ，１４Ｌを支持する支持面２８ａなどを備えており、支持面２８ａには姿勢保持部１４Ｒ，１４Ｌの固定片部１４ａの下面が接着剤などの固定部材によって固定されている。
【００９１】
この発明の第２実施形態に係る撮影補助装置及び接写装置には、第１実施形態の効果に加えて、以下に記載するような効果がある。
この第２実施形態では、装着部２８Ｒ，２８Ｌが撮影台４に着脱自在に吸着する。このため、右側の姿勢保持部１４Ｒと左側の姿勢保持部１４Ｌとを撮影台４の左右方向の中心線に対して上下方向にずらして配置することができる。その結果、例えば、被写体Ｆが曲線引金具のような湾曲した電車線金具であるときに、この被写体Ｆの両端部を姿勢保持部１４Ｒ，１４Ｌによって確実に把持することができる。
【００９２】
（第３実施形態）
図１４は、この発明の第３実施形態に係る撮影補助装置を備える接写装置を概略的に示す正面図である。図１５は、この発明の第３実施形態に係る撮影補助装置を備える接写装置を概略的に示す平面図である。図１６は、この発明の第３実施形態に係る撮影補助装置の側面図である。
【００９３】
図１４及び図１５に示す撮影補助装置１３は、図１〜図３に示す装着部１８、図７に示す背面側光照射部１９及び光フィルタ部２０を備えておらず、図１４に示すように装着部２９Ｒ，２９Ｌと姿勢変更部３０Ｒ，３０Ｌなどを備えている。装着部２９Ｒ，２９Ｌは、姿勢変更部３０Ｒ，３０Ｌを撮影台４に着脱自在に装着する部分である。装着部２９Ｒ，２９Ｌは、図１１に示す装着部２８Ｒ，２８Ｌと同様に、撮影台４に吸着する磁力を発生する永久磁石であり、撮影台４の左右の側面に着脱自在に装着される。装着部２９Ｒ，２９Ｌは、図１４及び図１６に示すように、姿勢変更部３０Ｒ，３０Ｌを支持する支持面２９ａなどを備えている。
【００９４】
図１２に示す姿勢変更部３０Ｒ，３０Ｌは、被写体Ｆの姿勢を任意の姿勢に変更するために、姿勢保持部１４Ｒ，１４Ｌの姿勢を変更する部分である。姿勢変更部３０Ｒ，３０Ｌは、姿勢保持部１４Ｒ，１４Ｌと装着部２９Ｒ，２９Ｌとを連結する自在継手であり、姿勢保持部１４Ｒ，１４Ｌの固定片部１４ａと装着部２９Ｒ，２９Ｌの支持面２９ａとを連結しており、図１６に示すように外側保持部３０ａと内側保持部３０ｂなどを備えている。姿勢変更部３０Ｒ，３０Ｌは、外側保持部３０ａに対して内側保持部３０ｂが所定の角度範囲内で回転可能な球面軸受（ボールジョイント）として機能する。外側保持部３０ａは、内側保持部３０ｂを回転自在に保持する部分であり、外側保持部３０ａの内周面（滑り面）は内側保持部３０ｂの球面凸部と摺動自在に面接触するように球面状の凹部に形成されている。外側保持部３０ａは、装着部２９Ｒ，２９Ｌの支持面２９ａから突出するようにこの支持面２９ａに固定されている。内側保持部３０ｂは、外側保持部３０ａに回転自在に嵌合する部分であり、内側保持部３０ｂの外周面（滑り面）は外側保持部３０ａの球面凹部と摺動自在に面接触する球面状の凸部に形成されている。内側保持部３０ｂは、姿勢保持部１４Ｒ，１４Ｌの固定片部１４ａの下面から突出するようにこの固定片部１４ａの下面に固定されている。
【００９５】
次に、この発明の第３実施形態に係る撮影補助装置の使用方法を説明する。
図１４〜図１６に示すように、例えば、被写体Ｆが曲線引金具のような電車線金具を所定長さで切断した切断品であるときには、この被写体Ｆの外観形状が湾曲している。このため、図１〜図３及び図１１〜図１３に示すように、姿勢保持部１４Ｒ，１４Ｌの姿勢が一定に固定されていると、姿勢保持部１４Ｒ，１４Ｌによって被写体Ｆの両端部を把持して、この被写体Ｆの姿勢を所定の姿勢に維持することが困難な場合がある。例えば、図１４に示すように、被写体Ｆの一方の端部を撮影台４上に接触させ、この被写体Ｆの他方の端部を撮影台４上から離間させた状態で、この被写体Ｆを撮影装置１によって撮影するときには、姿勢保持部１４Ｒ，１４Ｌの姿勢をそれぞれ変更する必要がある。先ず、姿勢変更部３０Ｒの外側保持部３０ａの中心線に対して内側保持部３０ｂの中心線が一致するようにこの内側保持部３０ｂの姿勢を変更し、図１４及び図１５に示すように被写体Ｆの一方の端部を姿勢保持部１４Ｌによって把持する。次に、図１６に示すように、姿勢変更部３０Ｒの外側保持部３０ａの中心線に対して内側保持部３０ｂの中心線が傾斜一致するようにこの内側保持部３０ｂの姿勢を変更し、図１４及び図１５に示すように被写体Ｆの他方の端部を姿勢保持部１４Ｒによって把持する。
【００９６】
また、姿勢保持部１４Ｒ，１４Ｌによって被写体Ｆを把持した状態で、この被写体Ｆの姿勢を任意の姿勢に変更しながら最適な撮影姿勢を見つけ出して、撮影装置１によって撮影者Ｍが撮影したい場合がある。例えば、被写体Ｆの両端部を撮影台４上に接触させた状態で、この被写体Ｆの両端部を姿勢保持部１４Ｒ，１４Ｌによって把持し、撮影装置１によって撮影するときには、姿勢保持部１４Ｒ，１４Ｌの姿勢をそれぞれ変更する必要がある。この場合には、図１６に示すように、姿勢変更部３０Ｒ，３０Ｌの外側保持部３０ａの中心線に対して内側保持部３０ｂの中心線を変化させてこの内側保持部３０ｂの姿勢を変更し、撮影者Ｍが希望する撮影姿勢になるように被写体Ｆの姿勢を変化させる。
【００９７】
この発明の第３実施形態に係る撮影補助装置及び接写装置には、第１実施形態及び第２実施形態の効果に加えて、以下に記載するような効果がある。
この第３実施形態では、姿勢保持部１４Ｒ，１４Ｌの姿勢を姿勢変更部３０Ｒ，３０Ｌが変更する。このため、被写体Ｆの形状を変えずに姿勢保持部１４Ｒ，１４Ｌによってこの被写体Ｆを確実に把持することができるとともに、この姿勢保持部１４Ｒ，１４Ｌによってこの被写体Ｆを把持した状態で撮影者Ｍが希望する撮影姿勢になるようにこの被写体Ｆの姿勢を簡単に変化させることができる。
【００９８】
（第４実施形態）
図１７は、この発明の第４実施形態に係る撮影補助装置を備える接写装置の正面図である。図１８は、この発明の第４実施形態に係る撮影補助装置を備える接写装置の正面図である。図１９は、この発明の第４実施形態に係る撮影補助装置を備える接写装置の右正面図である。図２０は、図１８のXX-XX線で切断した状態を示す断面図である。
【００９９】
図１７〜図２０に示す撮影補助装置１３は、図１〜図３及び図１１〜図１５に示す姿勢保持部１４Ｒ，１４Ｌを備えておらず、姿勢保持部３１などを備えている。姿勢保持部３１は、被写体Ｆの姿勢を所定の姿勢に保持する部分であり、装着部１８によって撮影台４に着脱自在に装着される。姿勢保持部３１は、搭載部３１ａなどを備えている。
【０１００】
図２０に示す搭載部３１ａは、被写体Ｆの姿勢を保持した状態でこの被写体Ｆを搭載する部分であり、背面側光照射部１９が照射する光を透過させる。搭載部３１ａは、被写体Ｆの背面側を支持した状態でこの被写体Ｆを搭載する。搭載部３１ａは、透過部１８ｄと同様に透明又は半透明のガラス板又は合成樹脂板であり、装着部１８の枠部１８ｃの上面に固定されておりこの装着部１８と一体に形成されている。搭載部３１ａは、この搭載部３１ａの表面に長さ方向に沿って直線状に所定の間隔をあけて複数列の凹凸が形成されており、底部側から頂部側に向かって傾斜する平坦な傾斜面３１ｂを備えている。搭載部３１ａは、被写体Ｆが転がり易い形状であるときにこの被写体Ｆの周方向の少なくとも２点を隣り合う２つの傾斜面３１ｂと接触させて、被写体Ｆの転がりを防止しこの被写体Ｆの姿勢を所定の姿勢に維持する。搭載部３１ａは、表面にスケール部１６と色見本部１７とが接着剤又は止めねじなどの固定部材によって固定されている。
【０１０１】
次に、この発明の第４実施形態に係る撮影補助装置の使用方法を説明する。
図１７〜図２０に示すように、例えば、被写体Ｆが曲線引金具のような電車線金具を所定長さで切断した切断品であるときには、この被写体Ｆの外観形状が湾曲しており断面が円形である。このため、撮影台４上に被写体Ｆを載せても転がり被写体Ｆの姿勢を一定の姿勢に維持することができない。この場合には、図１８及び図２０に示すように、被写体Ｆの一方の端部の少なくとも２点を隣り合う２つの傾斜面３１ｂと接触するように搭載部３１ａ上に載せるとともに、被写体Ｆの他方の端部の少なくとも２点を隣り合う２つの傾斜面３１ｂと接触するように搭載部３１ａ上に載せる。その結果、図１８及び図１９に示すように、被写体Ｆの両端部が搭載部３１ａによって支持されて、この被写体Ｆが安定した姿勢でこの搭載部３１ａ上に保持される。
【０１０２】
この発明の第４実施形態に係る撮影補助装置及び接写装置には、第１実施形態〜第３実施形態の効果に加えて、以下に記載するような効果がある。
(1) この第４実施形態では、被写体Ｆの姿勢を所定の姿勢に保持した状態でこの被写体Ｆを搭載部３１ａが搭載する。このため、第１実施形態〜第３実施形態の姿勢保持部１４Ｒ，１４Ｌのような撮影者Ｍが可動片部１４ｂを操作して被写体Ｆを挟み込む操作が不要になり、被写体Ｆを搭載部３１ａに載せるだけでこの被写体Ｆの姿勢を簡単に所定の姿勢に維持することができる。また、第１実施形態〜第３実施形態の姿勢保持部１４Ｒ，１４Ｌでは把持することが困難な長さの短い被写体Ｆの姿勢を搭載部３１ａによって簡単に所定の姿勢に維持することができる。
【０１０３】
(2) この第４実施形態では、被写体Ｆの正面から光を照射して撮影装置１によってこの被写体Ｆを撮影するときに、この被写体Ｆの背面側から背面側光照射部１９が光を照射し、この背面側光照射部１９が照射する光を搭載部３１ａが透過させる。このため、搭載部３１ａ上の被写体Ｆの背面に背面側光照射部１９から簡単に光を照射することができ、搭載部３１ａ上の被写体Ｆに光源から均一に光を照射してこの被写体Ｆを綺麗に撮影することができる。
【０１０４】
（第５実施形態）
図２１は、この発明の第５実施形態に係る撮影補助装置を備える接写装置の側面図である。図２２は、この発明の第５実施形態に係る撮影補助装置を備える接写装置の平面図である。図２３は、この発明の第５実施形態に係る撮影補助装置の側面図である。図２４は、この発明の第５実施形態に係る撮影補助装置の横断面図である。
【０１０５】
図２１〜図２４に示す撮影補助装置２１は、支持装置１０の連結部１１に装着されており、撮影装置１のシャッタボタン１ｃを遠隔で操作するエア方式のレリーズ装置（エアレリーズ）として機能する。撮影補助装置２１は、操作力伝達部３２と、操作部３３と、押圧部３４と、装着部３５などを備えている。
【０１０６】
操作力伝達部３２は、シャッタボタン１ｃを押圧する押圧部３４に、撮影者Ｍが操作する操作部３３からの操作力を機械的に伝達する部分である。操作力伝達部３２は、一方の端部が操作部３３に接続されており、他方の端部が押圧部３４に接続されている。操作力伝達部３２は、操作部３３からの操作力を空気圧としてこの押圧部３４に作用させており、操作部３３を撮影者Ｍが操作したときに発生する流体圧の変化に応じて押圧部３４を動作させる。操作力伝達部３２は、筒部３２ａを備えており、この筒部３２ａは空気が流れる部分であり、可撓性を有し柔軟な金属製又は合成樹脂製の配管などである。筒部３２ａは、操作部３３と押圧部３４との間で空気が流れるように、図２４に示すように一方の端部が操作部３３内に接続されており、他方の端部が押圧部３４のシリンダ部３４ａ内に接続されている。
【０１０７】
操作部３３は、シャッタボタン１ｃを押圧するときに撮影者Ｍによって操作される部分である。操作部３３は、撮影者Ｍの操作によって弾性変形して内部の空気圧が変化するゴム製の袋体であり、撮影装置１のシャッタを開閉するときに撮影者Ｍによって手動で操作される。操作部３３は、撮影動作開始時に撮影者Ｍが圧縮すると弾性力に抗して収縮状態に変化し内部の空気圧が上昇し、撮影動作終了後に撮影者Ｍが圧縮を解除すると弾性力によって復元して膨張状態に変化し内部の空気圧が元に戻る。
【０１０８】
押圧部３４は、操作部３３からの操作力を受けてシャッタボタン１ｃを押圧する部分であり、接写装置３の支柱部５に固定される撮影装置１の支持装置１０に着脱自在に装着される。押圧部３４は、使用時には支持装置１０に装着され、非使用時には支持装置１０から取り外される。押圧部３４は、図２４に示すように、シリンダ部３４ａと、ピストンロッド部３４ｂと、貫通孔３４ｃなどを備えている。
【０１０９】
シリンダ部３４ａは、ピストンロッド部３４ｂを動作させる部分である。シリンダ部３４ａは、押圧部３４の内部に形成されており、撮影動作時には操作力伝達部３２から空気が流入するために内部の空気圧が上昇し、撮影動作終了直後には操作力伝達部３２に空気が流出するために内部の空気圧が低下する。ピストンロッド部３４ｂは、進出動作することによってシャッタボタン１ｃを押圧する部分であり、シリンダ部３４ａ内のピストンの進退動作に連動して進退動作する。ピストンロッド部３４ｂの先端部は、図２１〜図２４に示すように、シャッタボタン１ｃを押圧可能なように位置決めされており、このシャッタボタン１ｃと対向して配置されている。ピストンロッド部３４ｂは、撮影者Ｍが操作部３３を圧縮してシリンダ部３４ａ内の空気圧が上昇したときには図２４に示すＡ1方向に進出して、シャッタボタン１ｃを押し下げて撮影装置１に撮影動作を開始(ON)させる。一方、ピストンロッド部３４ｂは、撮影者Ｍが操作部３３の圧縮を解除してシリンダ部３４ａ内の空気圧が低下したときには、シャッタボタン１ｃと一体となってＡ2方向に後退して、次の撮影動作まで撮影装置１を準備状態(OFF)にする。貫通孔３４ｃは、ピストンロッド部３４ｂを移動自在にガイドする部分であり、シリンダ部３４ａのシャッタボタン１ｃと対向する側に形成されている。貫通孔３４ｃは、シリンダ部３４ａからピストンロッド部３４ｂが抜け出すのを防ぐストッパとしても機能する。
【０１１０】
図２１〜図２４に示す装着部３５は、支持装置１０に押圧部３４を着脱自在に装着する部分である。装着部３５は、支持装置１０のフレーム部１１ａに押圧部３４を着脱自在に装着し、ピストンロッド部３４ｂの先端部をシャッタボタン１ｃと接触させた状態で押圧部３４を支持装置１０に取り付けている。装着部３５は、図２３及び図２４に示すように、スライド部３５ａと固定ねじ部３５ｂなどを備えている。スライド部３５ａは、フレーム部１１ａの長さ方向に沿って移動可能な部分であり、フレーム部１１ａの外側に嵌め込まれている。スライド部３５ａは、取付部９ｂに取り付けられる側のフレーム部１１ａの端部からこのフレーム部１１ａに装着される。スライド部３５ａは、フレーム部１１ａの外径よりも僅かに内径が大きく形成されており、フレーム部１１ａに装着された状態でこのフレーム部１１ａに対してスライド部３５ａが傾かないようにこのフレーム部１１ａに支持されている。固定ねじ部３５ｂは、スライド部３５ａをフレーム部１１ａに固定する止めねじである。固定ねじ部３５ｂは、スライド部３５ａを固定及び固定解除するときに回転操作される。固定ねじ部３５ｂは、締め付ける方向に回転操作されるとフレーム部１１ａにスライド部３５ａを固定して所定の位置に停止させる。一方、固定ねじ部３５ｂは、緩める方向に回転操作されるとスライド部３５ａをフレーム部１１ａに沿って移動可能にして、スライド部３５ａをフレーム部１１ａから取り外し可能にする。
【０１１１】
次に、この発明の第５実施形態に係る撮影補助装置の組立方法を説明する。
図２３及び図２４に示すように、支持装置１０のフレーム部１１ａの端部に装着部３５のスライド部３５ａを嵌め込み、押圧部３４のピストンロッド部３４ｂの先端部が撮影装置１のシャッタボタン１ｃと対向するように、フレーム部１１ａに沿ってスライド部３５ａを任意の位置まで水平方向にスライドさせる。次に、固定ねじ部３５ｂを締め付ける方向に回転操作して、フレーム部１１ａに装着部３５を固定すると、支持装置１０のフレーム部１１ａに押圧部３４が装着されて、この支持装置１０に撮影補助装置２１が装着される。
【０１１２】
次に、この発明の第５実施形態に係る撮影補助装置の使用方法を説明する。
図２１及び図２２に示す撮影補助装置２１を使用して撮影装置１によって被写体Ｆを撮影するときには、図２４に示す操作部３３を撮影者Ｍが把持して圧縮すると、この操作部３３内の空気圧が上昇して操作部３３内の空気が操作力伝達部３２の筒部３２ａ内を通過して押圧部３４のシリンダ部３４ａ内に流入する。その結果、撮影者Ｍが操作部３３を操作したときに発生する操作力が空気圧の変化として操作力伝達部３２を通じて押圧部３４に伝達される。このため、シリンダ部３４ａ内の空気圧が上昇してピストンロッド部３４ｂがＡ1方向に移動し、シャッタボタン１ｃを押し下げて撮影装置１のシャッタが開閉し、この撮影装置１によって被写体Ｆが撮影される。撮影装置１による撮影動作が完了して撮影者Ｍが操作部３３の圧縮を中止しこの操作部３３から手を離すと、この操作部３３が弾性力によって膨張状態に戻ろうとする。その結果、操作部３３内の空気圧が低下し、押圧部３４のシリンダ部３４ａ内の空気が操作力伝達部３２の筒部３２ａ内を通過して操作部３３内に流入する。撮影動作が完了するとシャッタボタン１ｃの復元力をピストンロッド部３４ｂが受けるとともに、シリンダ部３４ａ内の空気圧が低下してピストンロッド部３４ｂがＡ2方向に移動し、操作部３３内の空気圧が上昇して膨張し操作部３３が撮影準備状態に復帰する。
【０１１３】
この発明の第５実施形態に係る撮影補助装置には、第１実施形態〜第４実施形態の効果に加えて、以下に記載するような効果がある。
(1) この第５実施形態では、シャッタボタン１ｃを押圧する押圧部３４に、撮影者Ｍが操作する操作部３３からの操作力を操作力伝達部３２が機械的に伝達し、被写体Ｆを近距離から撮影するときに使用する接写装置３の支柱部５に固定される撮影装置１の支持装置１０にこの押圧部３４が着脱自在に装着される。このため、撮影装置１の支持装置１０を利用して押圧部３４を簡単に装着することができ、撮影作業の効率化を図ることができる。
【０１１４】
(2) この第５実施形態では、押圧部３４が使用時には支持装置１０に装着され、非使用時にはこの支持装置１０から取り外される。このため、使用時には撮影補助装置２１を支持装置１０に簡単に取り付けて撮影を迅速に開始することができるとともに、非使用時には撮影補助装置２１を支持装置１０から簡単に取り外して撮影補助装置２１が邪魔になるのを防ぐことができる。
【０１１５】
(3) この第５実施形態では、支持装置１０に押圧部３４を装着部３５が着脱自在に装着する。このため、撮影装置１を支持した状態で接写装置３の支柱部５に装着される支持装置１０を利用して、この支持装置１０に押圧部３４を簡単に装着することができる。また、使用時には押圧部３４を支持装置１０に簡単に装着し、非使用時には押圧部３４を支持装置１０から簡単に取り外すことができ、作業性を向上させることができる。さらに、撮影装置１が従来のレリーズケーブルを装着不可能ないわゆるコンパクトカメラであっても、支持装置１０に押圧部３４を確実に装着可能になって、撮影装置１の形式にかかわらずシャッタボタン１ｃを遠距離から操作することができる。
【０１１６】
(4) この第５実施形態では、一方の端部側が支柱部５に着脱自在に連結され、他方の端部が撮影装置１に着脱自在に連結されるフレーム部１１ａを支持装置１０が備えており、このフレーム部１１ａの端部に押圧部３４を装着部３５が着脱自在に装着される。このため、例えば、支柱部５側に連結されるフレーム部１１ａの端部を利用して、このフレーム部１１ａの端部に押圧部３４を簡単に装着することができる。
【０１１７】
(5) この第５実施形態では、操作力伝達部３２の一方の端部が操作部３３に接続され、この操作力伝達部３２の他方の端部が押圧部３４に接続されており、この操作部３３からの操作力を流体圧としてこの操作力伝達部３２がこの押圧部３４に作用させる。このため、照明装置２Ｒ，２Ｌからの強い光を操作力伝達部３２が受けても、操作部３３から押圧部３４に流体圧を利用して機械的に操作力を確実に伝達することができる。その結果、従来の赤外線を照射するリモートレリーズ装置のような照明装置２Ｒ，２Ｌからの光とこの赤外線とが干渉して撮影装置１が動作不良になってしまう不具合を回避することができる。
【０１１８】
（他の実施形態）
この発明は、以上説明した実施形態に限定するものではなく、以下に記載するように種々の変形又は変更が可能であり、これらもこの発明の範囲内である。
(1) この実施形態では、被写体Ｆがき電線などの電車線材料であり断面が円形である場合を例に挙げて説明したがこれに限定するものではない。例えば、丸棒や筆記具などの棒状部材や断面が多角形又は楕円などの部材についてもこの発明を適用することができる。また、撮影装置１がディジタル式カメラである場合を例に挙げて説明したが、ディジタル式カメラに限定するものではない。例えば、撮影光学系を透過した被写体像を銀塩フィルム（写真フィルム）に撮影させるフィルム式カメラ（銀塩カメラ）、撮影光学系を透過した被写体像を光電気変換素子（撮像素子）に撮像させるディジタル式ビデオカメラ（ビデオカメラ）などについてもこの発明を適用することができる。また、この実施形態では、固定部９と支持装置１０とを別部材に構成した場合を例に挙げて説明したが、これらを一体に構成することもできる。
【０１１９】
(2) この実施形態では、撮影補助装置１３，２１が接写装置３の付属品又はオプション品である場合を例に挙げて説明したが、撮影補助装置１３，２１を接写装置３に一体に組み込むこともできる。この場合には、撮影台４の厚さを厚くしてこの撮影台４に姿勢保持部１４Ｒ，１４Ｌ，３１を固定し、この撮影台４内に背面側光照射部１９を収容することができる。また、この実施形態では、色見本部１７が板状部材である場合を例に挙げて説明したが、色見本部１７が使用時には巻取り状態から引伸ばし状態になり、非使用時には引伸ばし状態から巻取り状態になるようにスケール部１６と同様の構造にすることもできる。さらに、この実施形態では、接写装置３の支柱部５内に操作力伝達部２２を弛緩状態で収容し、この操作力伝達部２２を使用時に任意の長さだけ引き出せる構造を例に挙げて説明したがこのような構造に限定するものではない。例えば、錘やばねによって操作力伝達部２２に所定の張力を常時作用させて、この支柱部５内にこの操作力伝達部２２を緊張状態で収容させたり、操作力伝達部２２が所定長さ以上引き出されないように、この操作力伝達部２２にストッパ機能を付与したりすることもできる。
【０１２０】
(3) この第１実施形態〜第３実施形態では、左右一対の姿勢保持部１４Ｒ，１４Ｌによって被写体Ｆの姿勢を保持する場合を例に挙げて説明したが、３つ以上の姿勢保持部によって被写体Ｆの姿勢を保持することもできる。例えば、被写体Ｆが碍子である場合には、この碍子のひだを３つ以上の姿勢保持部によって把持し、この碍子の姿勢を所定の姿勢に保持することができる。また、この第１実施形態〜第４実施形態では、撮影補助装置２１の操作力伝達部２２がワイヤ方式のケーブルレリーズである場合を例に挙げて説明したが、エア方式のケーブルレリーズについてもこの発明を適用することができる。さらに、この第２実施形態及び第３実施形態では、背面側光照射部１９を省略する場合を例に挙げて説明したが、装着部２８Ｒ，２８Ｌ，２９Ｒ，２９Ｌを装着部１８に着脱自在に吸着させることによって、背面側光照射部１９上に姿勢保持部１４Ｒ，１４Ｌを配置することもできる。
【０１２１】
(4) この第２実施形態及び第３実施形態では、装着部２８Ｒ，２８Ｌ，２９Ｒ，２９Ｌが永久磁石である場合を例に挙げて説明したが永久磁石に限定するものではない。例えば、撮影台４の左右の側板部を挟み込む金具を装着部２８Ｒ，２８Ｌ，２９Ｒ，２９Ｌに止めねじによって着脱自在に取り付けたり、撮影台４の左右の側板部に吸着する吸盤を装着部２８Ｒ，２８Ｌ，２９Ｒ，２９Ｌに取り付けたりすることもできる。また、この第５実施形態では、撮影補助装置２１の操作力伝達部３２がエア方式のケーブルレリーズである場合を例に挙げて説明したが、ワイヤ方式のケーブルレリーズについてもこの発明を適用することができる。また、この第５実施形態では、空気圧を利用して操作部３３からの操作力を押圧部３４に伝達する場合を例に挙げて説明したが、空気以外の気体又は液体などの流体圧を利用して操作部３３からの操作力を押圧部３４に伝達することもできる。さらに、この第５実施形態では、支柱部５側に連結されるフレーム部１１ａの端部に装着部３５を着脱自在に装着する場合を例に挙げて説明したが、撮影装置１側に連結されるフレーム部１１ａの端部に装着部３５を着脱自在に装着することもできる。
【符号の説明】
【０１２２】
１  撮影装置
２Ｒ，２Ｌ  照明装置
３  接写装置
４  撮影台
５  支柱部
５ａ  塞ぎ部
５ｂ，５ｃ  収容口
８  支持装置
１０  支持装置
１１  連結部
１１ａ  フレーム部
１３  撮影補助装置
１４Ｒ，１４Ｌ  姿勢保持部
１５Ｒ，１５Ｌ  固定部
１６  スケール部
１７  色見本部
１８  装着部
１９  背面側光照射部
２０  光フィルタ部
２１  撮影補助装置
２２  操作力伝達部
２３  操作部
２４  押圧部
２５  装着部
２６  ベルト部
２７  締結部
２８Ｒ，２８Ｌ，２９Ｒ，２９Ｌ  装着部
３０Ｒ，３０Ｌ  姿勢変更部
３１  姿勢保持部
３１ａ  搭載部
３２  操作力伝達部
３３  操作部
３４  押圧部
３５  装着部
Ｆ  被写体
Ｍ  撮影者
【図１】
2011197368.tif 000003
【図２】
2011197368.tif 000004
【図３】
2011197368.tif 000005
【図４】
2011197368.tif 000006
【図５】
2011197368.tif 000007
【図６】
2011197368.tif 000008
【図７】
2011197368.tif 000009
【図８】
2011197368.tif 000010
【図９】
2011197368.tif 000011
【図１０】
2011197368.tif 000012
【図１１】
2011197368.tif 000013
【図１２】
2011197368.tif 000014
【図１３】
2011197368.tif 000015
【図１４】
2011197368.tif 000016
【図１５】
2011197368.tif 000017
【図１６】
2011197368.tif 000018
【図１７】
2011197368.tif 000019
【図１８】
2011197368.tif 000020
【図１９】
2011197368.tif 000021
【図２０】
2011197368.tif 000022
【図２１】
2011197368.tif 000023
【図２２】
2011197368.tif 000024
【図２３】
2011197368.tif 000025
【図２４】
2011197368.tif 000026
【図２５】
2011197368.tif 000027
【図２６】
2011197368.tif 000028
【図２７】
2011197368.tif 000029